(57)【要約】通信システム（１００）は、サービス端末（ＳＴ）と、サービス端末（ＳＴ）内にある、またはサービス端末（ＳＴ）で動作する第１のトランスミッタ機能（ＴＸ１）を備える。第１のトランスミッタ機能（ＴＸ１）は、第１の短距離無線通信信号を送信し、サービス端末（ＳＴ）からの第１の距離（Ｄ１）または距離範囲（ＤＲ１）内に位置するモバイルデバイス（ＭＤ）により受信されると、第１の反応（Ｒ１）を引き起こす。通信システム（１００）はまた、サービス端末（ＳＴ）内にある、またはサービス端末（ＳＴ）で動作する第２のトランスミッタ機能（ＴＸ２）を備える。第２のトランスミッタ機能（ＴＸ２）は、第２の短距離無線通信信号（Ｓ２）を送信し、サービス端末（ＳＴ）から第２の距離（Ｄ２）または距離範囲（ＤＲ２）内に位置するモバイルデバイス（ＭＤ）により受信されると、第２の反応（Ｒ２）を引き起こし、前記第２の距離（Ｄ２）または距離範囲（ＤＲ２）は、第１の距離（Ｄ１）または距離範囲（ＤＲ１）よりもサービス端末（ＳＴ）に近い。【選択図】図２C
2021505090.tif 000002
【特許請求の範囲】
【請求項１】
モバイルデバイス（ＭＤ）と、
サービス端末（ＳＴ）と、
前記サービス端末（ＳＴ）内にある、または前記サービス端末（ＳＴ）で動作する第１のトランスミッタ機能（ＴＸ１）であって、前記第１のトランスミッタ機能（ＴＸＴ）は、第１の短距離無線通信信号（Ｓ１）を送信して、前記サービス端末（ＳＴ）から第１の距離（Ｄ１）または距離範囲（ＤＲ１）内に位置するモバイルデバイス（ＭＤ）により受信されると第１の反応（Ｒ１）を引き起こすように構成された第１のトランスミッタ機能（ＴＸ１）と、
前記サービス端末（ＳＴ）内にある、または前記サービス端末（ＳＴ）で動作する第２のトランスミッタ機能（ＴＸ２）であって、前記第２のトランスミッタ機能（ＴＸ２）は、第２の短距離無線通信信号（Ｓ２）を送信し、前記サービス端末（ＳＴ）から第２の距離（Ｄ２）または距離範囲（ＤＲ２）内に位置するモバイルデバイス（ＭＤ）により受信されると、第２の反応（Ｒ２）を引き起こし、前記第２の距離（Ｄ２）または距離範囲（ＤＲ２）は、前記第１の距離（Ｄ１）または距離範囲（ＤＲ１）よりも前記サービス端末（ＳＴ）に近い、第２のトランスミッタ機能（ＴＸ２）と、
を備え、
前記モバイルデバイス（ＭＤ）は、
前記サービス端末（ＳＴ）に接近している間、
前記サービス端末（ＳＴ）から前記第１の距離（Ｄ１）または距離範囲（ＤＲ１）内に位置するとき、前記第１の短距離無線通信信号（Ｓ１）を受信し、
第１のアクティビティ（Ａ１）を実行することにより、前記第１の短距離無線通信信号（Ｓ１）の受信に反応し（Ｒ１）、
前記サービス端末（ST)に接近しながら、条件付きで前記第１のアクティビティ（Ａ１）を実行したとき、
前記第２の短距離無線通信信号（Ｓ２）を受信し、
前記サービス端末（ＳＴ）から前記第２の距離（Ｄ２）、または距離範囲（ＤＲ２）内に位置するとき（３０）、第２のアクティビティ（Ａ２）を実行することにより、前記第２の短距離無線通信信号（Ｓ２）の受信に反応する（Ｒ２）、
ように構成される、通信システム（１００）。
【請求項２】
前記第１のアクティビティ（Ａ１）は、前記第２のアクティビティ（Ａ２）のための準備を含む、請求項１に記載の通信システム（１００）。
【請求項３】
前記第２のアクティビティ（Ａ２）は、前記サービス端末（ＳＴ）に関連づけられたサービス（２）のための準備を含む、請求項２に記載の通信システム（１００）。
【請求項４】
前記第１のアクティビティ（Ａ１）は、前記モバイルデバイス（ＭＤ）が短距離無線通信信号のモニタリングを実行する第１のモードから、前記モバイルデバイス（ＭＤ）が短距離無線通信信号のレンジングを実行する第２のモードへの切替を備える、請求項２乃至３のいずれか一項に記載の通信システム（１００）。
【請求項５】
前記第１の短距離無線通信信号（Ｓ１）と第２の短距離無線通信信号（Ｓ２）の少なくとも１つは、Bluetooth Low Energy信号である、請求項２乃至４のいずれか一項に記載の通信システム（１００）。
【請求項６】
前記第１の短距離無線通信信号（Ａ１）と第２の短距離無線通信信号（Ｓ２）の少なくとも１つは、ビーコンアドバタイズメント信号である、請求項２乃至５のいずれか一項に記載の通信システム（１００）。
【請求項７】
レンジングを実行する第２のモードにおいて、前記モバイルデバイス（ＭＤ）は、前記受信した第２の短距離無線通信信号（Ｓ２）から、前記モバイルデバイス（ＭＤ）が、前記サービス端末(ST）から前記第２の距離（Ｄ２）または距離範囲（ＤＲ２）内に位置し、従って前記第２のアクティビティ（Ａ２）を実行することにより反応する（Ｒ２）と判断するように構成される、請求項４、または請求項４に従属する請求項５乃至６のいずれか一項に記載の通信システム（１００）。
【請求項８】
前記第２のアクティビティ（Ａ２）は、前記サービス端末（ＳＴ）に関連づけられた前記サービス（２）の一部として前記サービス端末（ＳＴ）とのデジタルハンドシェークを行うことを備える、請求項３、または請求項３に従属するとき請求項４乃至７のいずれか一項に記載の通信システム（１００）。
【請求項９】
システムサーバ（ＳＳ）をさらに備え、前記第２のアクティビティ（Ａ２）は、前記モバイルデバイス（ＭＤ）が、前記受信した第２の短距離無線通信信号（Ｓ２）から、前記第２のトランスミッタ機能（ＴＸ２）または前記サービス端末（ＳＴ）に関連づけられた識別情報（ＴＸ２＿ＩＤ）を検出し、
前記モバイルデバイス（ＭＤ）が、前記検出した識別情報（ＴＸ２＿ＩＤ）を前記システムサーバ（ＳＳ）へ長距離ブロードバンドデータ通信により報告し、それに応答して前記システムサーバ（ＳＳ）が前記サービス（２）の実行を引き起こす、ことにより前記サービス端末（ＳＴ）とデジタルハンドシェークを行うことを備える、請求項３または請求項３に従属する請求項４乃至７のいずれか一項に記載の通信システム（１００）。
【請求項１０】
前記サービス（２）は、システム前記サービス端末（ＳＴ）において、前記モバイルデバイス（ＭＤ）のユーザ（Ｕ）により成された購入に対するデジタル支払いを含む、請求項３、または請求項３に従属するとき請求項４乃至９のいずれか一項に記載の通信システム（１００）。
【請求項１１】
前記サービス端末（ＳＴ）は、ポイントオブセールス端末である、請求項１０に記載の通信システム（１００）。
【請求項１２】
システムサーバ（ＳＳ）と、１つまたは複数のサービス端末（ＳＴ２、ＳＴ３、ＳＴｎ）をさらに備え、前記第１のアクティビティ（Ａ１）は、
前記モバイルデバイス（ＭＤ）は、前記受信した第１の短距離無線通信信号（Ｓ１）から、前記第１のトランスミッタ機能（ＴＸ１）または、前記サーバ端末（ＳＴ）に関連づけられた識別情報（ＴＸ１＿ＩＤ）を検出し、
前記モバイルデバイス（ＭＤ）は、前記検出した識別情報を、長距離ブロードバンドデータ通信（１２０）により、前記システムサーバ（ＳＳ）に報告し、
これに応答して、前記システムサーバ（ＳＳ）は、長距離ブロードバンドデータ通信により、前記サービス端末（ＳＴ）に選択的に通知し、前記さらなるサービス端末（ＳＴ２、ＳＴ３、ＳＴｎ）には通知しない、
ことを含む、請求項３、または請求項３に従属するとき請求項４乃至１１のいずれか一項に記載の通信システム（１００）。
【請求項１３】
システムサーバ（ＳＳ）をさらに備え、前記サービス端末（ＳＴ）は、表示デバイス（１７５）を備え、前記第１のアクティビティ（Ａ１）は、
前記モバイルデバイス（ＭＤ）が、前記受信した第１の短距離無線通信信号（Ｓ１）から、前記第１のトランスミッタ機能（ＴＸ１）または前記サービス端末（ＳＴ）に関連づけられた識別情報（ＴＸ１＿ＩＤ）を検出し、
前記モバイルデバイス（ＭＤ）が、前記第１のトランスミッタ機能（ＴＸ１）に関連付けられた前記検出した識別情報（ＴＸ１＿ＩＤ）並びに、前記モバイルデバイス（ＭＤ）に関連づけられた識別情報（ＭＤ＿ＩＤ）を長距離ブロードバンドデータ通信により前記システムサーバ（ＳＳ）に報告する、ことを含み、
これに応答して前記システムサーバ（ＳＳ）は、
前記モバイルデバイス（ＭＤ）に関連づけられた前記識別情報（ＭＤ＿ＩＤ）から前記モバイルデバイス（ＭＤ）のユーザ（Ｕ）の識別を判断し、
前記ユーザ（Ｕ）のためにカスタマイズした販売促進情報を決定し、
前記決定した販売促進情報を長距離ブロードバンドデータ通信により前記サービス端末（ＳＴ）に通信し（１３２）、
前記サービス端末（ＳＴ）が、前記通信された販売促進情報を前記表示デバイス（１７５）により、前記モバイルデバイス（ＭＤ）のユーザ（Ｕ）に提示する、請求項３、または請求項３に従属するとき請求項４−１１のいずれか一項に記載の通信システム。
【請求項１４】
システムサーバ（ＳＳ）をさらに備え、前記サービス端末（ＳＴ）は、表示デバイス（ＭＤ１７５）を備え、前記第１のアクティビティ（Ａ１）は、
前記モバイルデバイス（ＭＤ）が、前記受信した第１の短距離無線通信信号（Ｓ１）から、前記第１のトランスミッタ機能（ＴＸ１）または前記サービス端末（ＳＴ）に関連づけられた識別情報（ＴＸ１＿ＩＤ）を検出し、
前記モバイルデバイス（ＭＤ）が、前記第１のトランスミッタ機能（ＴＸ１）に関連付けられた、前記検出した識別情報（ＴＸ１＿ＩＤ）並びに、前記モバイルデバイス（ＭＤ）に関連づけられた識別情報（ＭＤ＿ＩＤ）を、長距離ブロードバンドデータ通信により前記システムサーバ（ＳＳ）に報告することを含み、
これに応答して前記システムサーバ（ＳＳ）は、
前記モバイルデバイス（ＭＤ）に関連づけられた前記識別情報（ＭＤ＿ＩＤ）から、前記モバイルデバイス（ＭＤ）のユーザ（Ｕ）の識別を判断し、前記ユーザ（Ｕ）に関連づけられたユーザプロファイル情報を判断し、前記判断したユーザプロファイル情報を、長距離ブロードバンドデータ通信により、前記サービス端末（ＳＴ）に通信し（１４２）、
前記サービス端末（ＳＴ）は、前記通信したユーザプロファイル情報を、前記表示デバイス（１７５）により、前記サービス端末（ＳＴ）のオペレータ（Ｏ）および／または前記モバイルデバイス（ＭＤ）のユーザ（Ｕ）に表示する、請求項３、または請求項３に従属する請求項３に従属するとき、請求項４乃至１１にいずれか一項に記載の通信システム。
【請求項１５】
前記サービス端末（ＳＴ）内にある、または前記サービス端末（ＳＴ）で動作する前記第１および第２のトランスミッタ機能（ＴＸ１、ＴＸ２）は、前記第１および第２の短距離無線通信信号（Ｓ１、Ｓ２）をそれぞれの定義された周期で送信するように構成された、請求項１乃至１４のいずれか一項に記載の通信システム。
【請求項１６】
前記サービス端末（ＳＴ）内の、あるいは前記サービス端末（ＳＴ）で動作する前記第１および第２のトランスミッタ機能（ＴＸ１、ＴＸ２）は、前記第１および第２の短距離無線通信信号（Ｓ１、Ｓ２）を、それぞれの送信電力レベルで送信するように構成され、前記第１の短距離無線通信信号（Ｓ１）は、前記第２の短距離無線通信信号（Ｓ２）よりも高い、請求項１乃至１５のいずれか一項に記載の通信システム。
【請求項１７】
前記サービス端末（ＳＴ）内にある、または前記サービス端末（ＳＴ）で動作する前記第１および第２のトランスミッタ機能（ＴＸ１、ＴＸ２）は、前記第１および第２の短距離無線通信信号（Ｓ１、Ｓ２）を、それぞれのかつ異なる無線信号伝搬プロファイルで送信するように構成された、請求項１乃至１６のいずれか一項に記載の通信システム。
【請求項１８】
前記第１および第２のトランスミッタ機能（ＴＸ１、ＴＸ２）は、前記サービス端末（ＳＴ）の外部であって、前記サービス端末（ＳＴ）の物理的に近くに位置する別個のトランスミッタデバイス（複数の場合もある）である、請求項１乃至１７のいずれか一項に記載の通信システム。
【請求項１９】
前記第１および第２のトランスミッタ機能（ＴＸ１、ＴＸ２）の一方または両方は、前記サービス端末（ＳＴ）内に備えられた短距離無線通信回路によりインプリメントされる、請求項１乃至１７のいずれか一項に記載の通信システム。
【請求項２０】
前記第１および第２のトランスミッタ機能（ＴＸ１、ＴＸ２）の両方は、前記サービス端末（ＳＴ）の外部であって、前記サービス端末（ＳＴ）の物理的に近くに位置する共通の別個のトランスミッタデバイスによりインプリメントされる、請求項１乃至１７のいずれか一項に記載の通信システム。
【請求項２１】
前記第１および第２のトランスミッタ機能（ＴＸ１、ＴＸ２）の両方は、前記サービス端末（ＳＴ）内に備えられた共通の短距離無線通信回路によりインプリメントされる、請求項１−１７のいずれか一項に記載の通信システム。
【請求項２２】
サービス端末（ＳＴ）に関連づけられたサービス（２）の使用を可能にするためのモバイルデバイス（ＭＤ）の方法において、前記方法は、
第１の短距離無線通信信号（Ｓ１）を送信し（３００）、前記サービス端末（ＳＴ）から第１の距離（Ｄ１）または距離範囲（ＤＲ１）内に位置する前記モバイルデバイス（ＭＤ）により受信されると、第１の反応（Ｒ１）を引起すステップと、
第２の短距離無線通信信号（Ｓ２）を送信し（３１０）、前記サービス端末（ＳＴ）から第２の距離（Ｄ２）、または距離範囲（ＤＲ２）内に位置する前記モバイルデバイス（ＭＤ）により受信されると、第２の反応（Ｒ２）を引き起こすステップであって、前記第２の距離（Ｄ２）、または距離範囲（ＤＲ２）は、前記第１の距離（Ｄ１）または距離範囲（ＤＲ１）よりも前記サービス端末（ＳＴ）に近い、ステップと、を含み、
前記方法は、さらに、
前記モバイルデバイス（ＭＤ）が、前記サービス端末（ＳＴ）に接近している間、
前記サービス端末（ＳＴ）から前記第１の距離（Ｄ１）、または距離範囲（ＤＲ１）内に位置するとき、前記第１の短距離無線通信信号（Ｓ１）を受信するステップと、
第１のアクティビティ（Ａ１）を実行することにより、前記第１の短距離無線通信信号（Ｓ１）の受信に反応するステップ（（３３０、Ｒ１）と、
前記モバイルデバイス（ＭＤ）は、前記サービス端末（ＳＴ）に接近している間、および条件付きで前記第１のアクティビティ（Ａ１）を実行したとき、
前記第２の短距離無線通信信号（Ｓ２）を受信するステップと、
前記サービス端末（ＳＴ）から前記第２の距離（Ｄ２）、または距離範囲（ＤＲ２）内に位置するとき、第２のアクティビティ（Ａ２）を実行することにより前記第２の短距離無線通信信号（Ｓ２）の受信に反応するステップ（３５０、Ｒ２)と、
を備えた、方法。
【請求項２３】
前記第１のアクティビティ（Ａ１）は、前記第２のアクティビティ（Ａ２）のための準備を含み、前記第２のアクティビティ（Ａ２）は、前記サービス端末（ＳＴ）に関連付けられたサービス（２）への参加（３５５、ｌ３５７）を含む、請求項２２に記載の方法。
【請求項２４】
前記第１のアクティビティ（Ａ１）は、前記モバイルデバイス（ＭＤ）が短距離無線通信のモニタリングを行う第１のモードから、前記モバイルデバイス（ＭＤ）が短距離無線通信信号のレンジングを行う第２のモードへの切替を備えた、請求項２２乃至２３のいずれか一項に記載の方法。
【請求項２５】
前記第２のアクティビティ（Ａ２）は、前記サービス端末（ＳＴ）に関連づけられた前記サービス（２）の一部として前記サービス端末（ＳＴ）とデジタルハンドシェークを行うことを備えた、請求項２２乃至２４のいずれか一項に記載の方法。
【請求項２６】
前記サービス（２）は、前記サービス端末（ＳＴ）において、前記モバイルデバイス（ＭＤ）のユーザ（Ｕ）により成された購入のための支払い（３５７）を含む、請求項２２乃至２５のいずれか一項に記載の方法。
【請求項２７】
コントローラ（１５４）と、
短距離無線通信インタフェース（１５６）と、
長距離ブロードバンド通信インタフェース（１５８）と、
を備え、
前記コントローラ（１５４）は、請求項２２乃至２６のいずれかに従う前記方法で前記モバイルデバイス（ＭＤ）のために定義された機能性を実行するように構成される、モバイルコンピューティングデバイス（１５０）。
【請求項２８】
コントローラ（１７４）と、
短距離無線通信のための第１のトランスミッタ機能（１７６ａ）と、
短距離無線通信のための第２のトランスミッタ機能（１７６ｂ）と、
長距離ブロードバンドデータ通信インタフェース（１７８）と、
を備え、
前記コントローラ（１７４）は、請求項２２乃至２６のいずれか一項に記載の方法で前記サービス端末（ＳＴ）のために定義された機能性を実行するように構成された、コンピューティングデバイス（１７０）。
【発明の詳細な説明】
【技術分野】
【０００１】
この発明は、一般に、モバイルデバイスとサービス端末との間の近接度を決定するために短距離無線通信信号が使用される、モバイルデバイスにより使用するためのサービス端末により提供されるサービスに関する。特に、この発明は、短距離無線通信のための第１および第２のトランスミッタ機能を有するサービス端末を備えた通信システムに関する。この発明は、また、サービス端末に関連付けられたサービスの使用を可能にするためにモバイルデバイスをアクティブ化する方法に関する。この発明はさらに、この方法におけるモバイルデバイスの機能性をインプリメントするためのモバイルコンピューティングデバイスに関する。
【背景技術】
【０００２】
過去１０年間のスマートフォンやタブレットなどのモバイルデバイスの圧倒的な市場への浸透に伴い、物理的な構内にあるサービス端末によって提供されるサービスにアクセスするためのツールとしても、モバイルデバイスを使用できることが一般的に望まれるようになった。いくつかの典型的なシナリオは、小売店、スーパーマーケット、競技場、イベント、または公共輸送におけるデジタル注文、デジタル支払い、デジタル化の促進を含み、サービス端末は、ポイントオブセール端末、チェックアウトカウンタ、集荷場所、ベンディングマシン、チケットマシン等であり得る。
【０００３】
ＷＯ２０１７／０９５３０７は、サービス端末が、モバイルデバイスのユーザにサービスを提供する方法および通信システムを開示する。サービス端末は、ビーコン領域を特定するビーコン信号の形態で短距離無線通信信号のトランスミッタに関連する。モバイルデバイスがサービス端末に接近し、ビーコン信号を受信すると、受信した信号強度を示す情報を含むブロードバンドデータ通信により、リポートをシステムサーバに送信する。サービス端末は、サービス端末とモバイルデバイスとの間の推定距離を得るためにシステムサーバと通信し、モバイルデバイスのユーザのユーザプロファイルデータを取得するために、システムサーバと通信する。サービス端末は、推定された距離およびユーザプロファイルデータに基づいて、モバイルデバイスのユーザにサービスを提供する。例えば、サービス端末は、ポイントオブセール端末であり得、サービスは、金融取引（すなわち、ポイントオフセール端末におけるモバイルデバイスのユーザによりなされた購入に対する支払い）を含むことができる。あるいは、サービス端末は、たとえば、電子看板端末であり得、サービスは、モバイルデバイスのユーザへのカスタマイズされたデジタルコンテンツの表示を含むことができる。
【０００４】
この発明のいくつかの実施形態の理解を容易にするために、ブルートゥース（登録商標）ロウエネルギ（ＢＬＥ、短距離無線通信のための普及した技術）およびＢＬＥに基づいたビーコン技術の要約について以下に記載する。ＡｐｐｌｅからのｉＢｅａｃｏｎ（登録商標）技術は、モバイルデバイスが、マイクロローカルスケール（micro-local scale）でその位置を理解し、現在位置に基づいてモバイルデバイスのユーザへ、ハイパーコンテキストコンテンツの配信を可能にする。ＩＢｅａｃｏｎ技術は、ＢＬＥ規格に基づき、特に、汎用アクセスプロファイル（ＧＡＰ）アドバタイジング（advertising）パケットに基づく。いくつかの他の種類の短距離無線ビーコン技術、例えば、AltBeacon、URLBeacon、Eddystone等があり、これらもまた、ＢＬＥおよびＧＡＰに基づく。
【０００５】
ＢＬＥスタンダードに基づく基本的な短距離無線ビーコン通信システムにおいて、ビーコントランスミッタデバイスは、反復的に、３１バイトのＧＡＰ  ＢＬＥパケットで短距離無線ビーコンアドバタイズメント（advertisement）信号をブロードキャストする。ビーコンアドバタイズメント信号は、１２８ビットのユニバーサルの固有の識別子、ＵＵＴＤを含む。ビーコンアドバタイズメント信号は、また、１６ビットメジャー部と１６ビットマイナー部を含むことができる。ビーコン信号は、ビーコントランスミッタデバイスに関連づけられたビーコン領域を識別する。一般に知られているように、地理的領域は、地球の表面上の既知の点を中心とする指定された半径の円によって定義される領域であるのに対して、ビーコン領域は、1つ以上のビーコントランスミッタデバイスへのモバイルデバイスの近接によって定義される領域である。
【０００６】
いくつかのインプリメンテーションにおいて、ビーコン領域は、ビーコンアドバタイズメント信号内のＵＵＴＤ、メジャー部（major portion）およびマイナー部（minor portion）により表される。他のインプリメンテーションにおいて、ビーコン領域は、ビーコン信号内のＵＵＩＤおよびメジャー部またはマイナー部により表される。更に、他のインプリメンテーションにおいて、ビーコン領域は、ＵＵＩＤ単独で表される。
【０００７】
ビーコントランスミッタデバイスの範囲内にあるとき短距離無線ビーコン信号を受信することができるために、各モバイルデバイスには、基盤となるオペレーティングシステムからのサポートにより上述したビーコンアドバタイズメント信号のような短距離無線ビーコン信号を検出して反応するように構成される、アプリケーションプログラム、ａｐｐが備えられている。１つの周知のビーコン技術では、モバイルデバイス内のａｐｐｓは、モニタリング(monitoring）とレンジング（ranging）の２つの方法でビーコンを検出し反応することができる。モニタリングは、ａｐｐがビーコン領域に入る動きおよびビーコン領域から出る動き（すなわち、ビーコン領域が関連づけられる複数のビーコントランスミッタデバイスのいずれかの範囲内にあるかまたは範囲外にあるか）を検出可能にする。それゆえ、監視は、ａｐｐがビーコン領域をスキャンすることを可能にする。レンジングはより詳細であり、それぞれの受信信号強度と一緒に範囲内のビーコントランスミッタデバイスのリストを提供する。これは、それぞれのデバイスまでの距離を推定するために使用することができる。それゆえ、レンジングは、ａｐｐが、ビーコン領域内の個々のビーコントランスミッタを検出し反応することを可能にする。
【０００８】
これらのａｐｐｓは、異なるモードのモバイルデバイスのオペレーティングシステムにより処理することができる。最も広く知られたモードは、アクティブモードであり、ａｐｐはフォアグラウンドで実行され、典型的には、短距離無線ビーコンインタフェースおよび／または他の通信インタフェースを介してモバイルデバイスのユーザと相互作用することができるとともに、サーバのような外部デバイスと通信することができる。短距離無線ビーコン通信に関して、レンジングは、典型的に、ａｐｐがアクティブモードにあるときのみ動作する。
【０００９】
モバイルデバイスがビーコンアドバタイズメント信号を受信すると、モバイルデバイス内のａｐｐは、ビーコンアドバタイズメント信号に含まれるＵＵＩＤ（および場合によっては、メジャー／マイナー部）からビーコン領域に入ったことを検出することができ、ユーザおよび／またはビーコントランスミッタデバイスのホストに有益な何等かの方法で適切に反応することができ、しばしば、モバイルデバイスのａｐｐとブロードバンド通信ネットワークを介したサービスプロバイダとの間の相互作用を含む。システムサーバは、またいくつかのインプリメンテーションに含めることができる。
【００１０】
そのような有益な使用例は、これに限定されないが、サービスプロバイダからビーコントランスミッタデバイスのあらかじめ定義された位置を検索することにより、あるいは、サービスプロバイダからコンテンツを研削することにより、モバイルデバイスの現在の適切な位置を決定することを含む。
【００１１】
本明細書において、ａｐｐがアクティブモードであるモバイルデバイスは、アクティブモバイルデバイスと呼ばれる。アクティブモバイルデバイスは、ビーコントランスミッタデバイスからビーコンアドバタイズメント信号の更なる送信を受信し反応することができる。これは、例えば、ビーコントランスミッタデバイスのホストに相関するコンテンツが更新される、または変更される場合有効であり得る。
【００１２】
さらに、アクティブなモバイルデバイスは、当然のことながら、それらがそれぞれのビーコントランスミッタデバイスの範囲内にあるか、またはそれに近づく限り、近くの他のビーコントランスミッタデバイスからビーコンアドバタイズメント信号を受信してそれに反応することができる。これは、異なるビーコントランスミッタデバイスが同じビーコン領域をアドバタイズ（advertise）する（すなわち、それぞれのビーコンアドバタイズメント信号に同じＵＵＩＤおよびメジャー／マイナーを含む）か、あるいは、異なるビーコン領域（ａｐｐがそのような異なるビーコン領域をモニタするように構成されている場合）をアドバタイズするかどうかに関係なくそうである。同じビーコン領域（例えば、同じＵＵＩＤ）は、同じスーパーマーケット、競技場、ファーストフードレストラン内等のような、同じホストによりサービスされる異なるビーコントランスミッタにしばしば使用されることに留意する必要がある。
【００１３】
モバイルデバイスのオペレーティングシステムもパッシブモード（passive mode）でａｐｐｓを処理する。モバイルデバイスは通常バッテリーで駆動され、連続する充電セッション間のモバイルデバイスの動作時間を最大化することは、一般的な技術的な目標であるため、パッシブモードの目的は、電力の節約にある。パッシブモードでは、ａｐｐは、バックグラウンドで実行されるか、あるいは、モバイルデバイスにインストールされるだけである。ａｐｐがアクティブモードにあるとき、並びに、ａｐｐがパッシブモードにあるとき、モニタリングが動作し、一方、レンジングは、ａｐｐがアクティブモードにあるときのみ動作するか、あるいはａｐｐがパッシブモードにあるときに限られた期間のみ動作する。
【００１４】
アクティブモードとパッシブモード間の遷移は、ａｐｐ、またはオペレーティングシステム、またはａｐｐまたはオペレーティングシステム内のプログラムロジックにおけるユーザの相互作用、ユーザの好みの設定に基づくことができる。ａｐｐが受動モードにあるモバイルデバイスは、本明細書では、パッシブモバイルデバイスと呼ばれる。パッシブモードでは、以下を除いて、ａｐｐは典型的にユーザインタフェースを介してユーザと相互作用することはできず、また、サーバまたは他のデバイスと通信することはできない。アクティブモバイルデバイスのように、付近のパッシブモバイルデバイスは、ビーコン領域をモニタし、それゆえ、問題となっているビーコントランスミッタデバイスの範囲内にある場合短距離無線ビーコンアドバタイズメント信号を受信することができる。しかしながら、アクティブモバイルデバイスとは異なり、パッシブモバイルデバイスは、ビーコントランスミッタデバイスへの距離を推定するのにレンジング機能を使用することはできないであろう。
【００１５】
常にそうであるが、サービス端末によってモバイルデバイスにサービスが提供されるとき、上述のＷＯ２０１７／０９５３０７の方法および通信システムにおいて、または多くの他の可能な状況および設定において本質である。サービスを実行する手続は、あまり長くかかることはできず、さもなければ、ユーザはおそらく再びそのサービスを利用することに落胆するであろう。サービスの性能の遅れは、ユーザ自身に悪い経験を引き起こすだけでなく、サービスの背後にあるロジスティクスにもさらなる遅延を引き起こす可能性がある。例えば、モバイルデバイスの何人かのユーザが同じサービス端末を使いたいとき、特定のユーザに対するサービスの性能の低下は、遅延を生じ、そのサービスを使用することを望む他のユーザにも待ち行列を増大させることになるであろう。また、サービスのパフォーマンスの遅延は、サービス端末のオペレータが、次のユーザのサービスのパフォーマンスの準備に役立つ作業を行うのではなく、サービスの完了を待つ時間を費やす必要があることを意味する。
【００１６】
本願の発明者達は、この点に関して、解決すべき問題があり技術的改良が必要であることに気が付いた。例えば、サービスを正しく行うためには、モバイルデバイスは、アクティブモードのときのみ利用可能な機能性がサービスを実行するためにあるいは完了するために必要とされる状況下でパッシブモードからアクティブモードへアクティブにする（目覚めさせる）必要があるかもしれない。そのような活性化は多少時間がかかるかもしれない。
【００１７】
さらに、多くの場合、サービスは、モバイルデバイスがサービス端末に非常に近いときのみ、提供されることが望ましい。これは、サービス端末（またはそのオペレーター）が、正しいモバイルデバイス（またはそのユーザ）にサービスを提供し、近くにいる他のモバイルデバイス（例えば、このモバイルデバイスの後でサービスされるのを待っているモバイルデバイス）にサービスを提供しないことを確実にする必要があるからである。
【００１８】
関連する例は、サービスの一部として、サービスを完了させるために、肯定的行動としてモバイルデバイスとサービス端末との間でデジタルハンドシェークを行う必要があるときである。デジタルハンドシェークは、モバイルデバイスをサービス端末の非常に近く（例えば、１０−３０ｃｍまたは５−５０ｃｍ以内）で提示することにより物理的に行われ、モバイルデバイスとサービス端末の一方または両方が他のデバイス／端末のそれぞれのアイデンティティを検証することにより論理的に行われる。これは、短距離無線通信に対する識別情報の通信を含むことができ、あるいは、（そしてしばしば望ましくは）そのような識別情報を安全なブロードバンドデータ通信を介して、リモートサーバリソースへ通信するそれぞれのデバイスにより、短距離無線通信を介した識別情報の転送を回避することを含むことができる。
【００１９】
サービス端末のトランスミッタからの短距離無線通信信号の範囲は、モバイルデバイスとサービス端末との間の所望の近接よりもかなり長く、例えば、１０−３０ｃｍまたは５−５０ｃｍに比べて５−２５メートルまたは１０−１００メートルであり得る。従って、モバイルデバイスが、サービス端末に対する現在の距離を決定する必要がある。この場合も先と同様に、これは、モバイルデバイスが受動モードから目覚めて、サービス端末のトランスミッタからの短距離無線通信信号の受信信号強度に基づいてサービス端末に対する現在の距離を決定するために、レンジング機能（ranging functionality）を使用することができる。
【００２０】
上記記載は、図１A乃至１Cに図示されている。モバイルデバイスのユーザは、サービス端末STおよび／またはそのオペレータＯにより提供されるサービス２を使用することを望む。図１Aにおいて、モバイルデバイスＭＤとユーザＵは、サービス端末STからの距離Dにある。モバイルデバイスＭＤがサービス端末ＳＴからの短距離無線通信信号の範囲内にあるかどうかに関わらず、距離Ｄがあまりにも遠いので、サービスは、モバイルデバイスＭＤまたはそのユーザＵに提供されていない。
【００２１】
図１Ｂにおいて、ユーザＵは、モバイルデバイスＭＤをサービス端末ＳＴの近くに移動させ、より短い距離Ｄ’にある。しかしながら、距離は、依然として遠く、サービスはいまだ提供されない。ユーザＵがモバイルデバイスＭＤをサービス端末ＳＴに非常に近づけると、すなわち、わずかな距離Ｄ’’に移動したときのみサービス端末ＳＴおよび／またはそのオペレータＯは、サービス２をモバイルデバイスＭＤまたはそのユーザＵに提供する。これは、図１Ｃに見られる。
【００２２】
上述した記述から明らかなように、この発明者達は、従来技術における問題および欠点を確認した。上記の観察と一致して、この発明者達は、サービス端末に提供されるサービスの使用を可能にするために、モバイルデバイスの早期の活性化の必要性と利点の両方を確認した。
【発明の概要】
【００２３】
従って、この発明の目的は、上述した問題および欠点の少なくともいくつかを解決し、消去し、軽減し、緩和し、または低減することである。この発明の第１の態様は、サービス端末と、サービス端末内にあるまたはサービス端末で動作する（in or at the service terminal）第１のトランスミッタ機能を備える通信システムである。第１のトランスミッタ機能は、サービス端末から第１の距離内、または第１の距離範囲にあるモバイルデバイスにより受信されると、第１の反応を引き起こすように、第１の短距離無線通信信号を送信するように構成される。
【００２４】
通信システムはさらに、サービス端末内にある、またはサービス端末で動作する第２のトランスミッタ機能を備える。第２のトランスミッタ機能は、サービス端末から第２の距離、または距離範囲内に位置するモバイルデバイスにより受信されると、第２の反応を引き起こすように第２の短距離無線通信信号を送信するように構成される。第２の距離または距離範囲は、第１の距離または距離範囲よりもサービス端末に、より近い。通信システムは、また上述のモバイルデバイスを備える。モバイルデバイスは、サービス端末に接近している間に、サービス端末から第１の距離、または距離範囲内に位置しているとき、第１の短距離無線通信信号を受信し、第１のアクティビティを実行することにより第１の短距離無線通信信号の受信に反応するように構成される。
【００２５】
モバイルデバイスはさらに、サービス端末に近づいている間および条件的に第１のアクティビティを実行すると、第２の短距離無線通信信号を受信し、サービス端末から第２の距離、または距離範囲内に位置するとき、第２のアクティビティを実行することにより、第２の短距離無線通信信号の受信に反応するように構成される。有利なことに、第１のアクティビティは、第２のアクティビティに関する準備を含み、同様に、第２のアクティビティは、サービス端末に関連づけられたサービスにおける準備を含む。それゆえ、この発明の第２の態様は、モバイルデバイスをアクティブにし、サービス端末に関連づけられたサービスの使用をイネーブルにする方法である。
【００２６】
この発明の第２の態様は、モバイルデバイスをアクティブにしてサービス端末に関連づけられたサービスの使用を可能にすることである。この方法は、サービス端末から第１の距離内、または距離範囲に位置するモバイルデバイスにより受信するとき第１の反応を引き起こすように、第１の短距離無線通信信号を送信することを含む。
【００２７】
この方法はさらに、サービス端末から第２の距離または距離範囲に位置するモバイルデバイスにより受信されると、第２の反応を引き起こすように第２の短距離無線通信信号を送信することを含む。第２の距離または距離範囲は、第１の距離または距離範囲よりもサービス端末に近い。サービス端末に近づくと、モバイルデバイスは、サービス端末から第１の距離または距離範囲内に位置するとき、第１の短距離無線通信信号を受信し、第１のアクティビティを実行することにより第１の短距離無線通信信号の受信に反応する。
【００２８】
さらにサービス端末に近づき、条件的に、第１のアクティビティを実行すると、モバイルデバイスは、第２の短距離無線通信信号を受信し、サービス端末から第２の距離または距離範囲内に入ると、第２のアクティビティを実行することにより第２の短距離無線通信信号の受信に反応する。従って、サービス端末に関連づけられたサービスの使用を可能にするようにモバイルデバイスをアクティブにする改良された方法が提供される。
【００２９】
この発明の第３の態様は、コントローラ、短距離無線通信インタフェースおよび長距離ブロードバンド通信インタフェースを備えたモバイルコンピューティングデバイスである。コントローラは、この発明の第２の態様に従う方法においてモバイルデバイスのために定義された機能性を実行するように構成される。
【００３０】
この発明の第４の態様は、コントローラ、短距離無線通信のための第１のトランスミッタ機能、短距離無線通信のための第２のトランスミッタ機能、および長距離ブロードバンド通信インタフェースを備えたコンピューティングデバイスである。コントローラは、この発明の第２の態様に従う方法において、サービス端末のために定義された機能性を実行するように構成される。
【００３１】
開示された実施形態の他の態様、目的、特徴および利点は、添付した独立請求項並びに図面から明らかになるであろう。一般的に、請求項に使用されるすべての用語は、本明細書においてそうでないと明示しない限り、この技術分野における通常の意味に従って解釈される。「ａ／ａｎ／ｔｈｅ［エレメント、デバイス、コンポーネント、手段、ステップ等］」への言及はすべて、そうでないと明示しない限り、エレメント、デバイス、コンポーネント、ステップ等の少なくとも１つのインスタンスを指すものとして、公に解釈される。ここに開示した任意の方法のステップは、そうであると明示しない限り、開示した順番に正確に実行する必要がない。
【図面の簡単な説明】
【００３２】
【図１Ａ】一般に従来技術に従うモバイルデバイスのユーザに、サービス端末および／またはオペレータによるサービスを提供する近接度に基づいた方法を図示する。
【図１Ｂ】一般に従来技術に従うモバイルデバイスのユーザに、サービス端末および／またはオペレータによるサービスを提供する近接度に基づいた方法を図示する。
【図１Ｃ】一般に従来技術に従うモバイルデバイスのユーザに、サービス端末および／またはオペレータによるサービスを提供する近接度に基づいた方法を図示する。
【図２Ａ】サービス端末の第１のトランスミッタ機能が、第１の短距離無線通信信号を送信して、サービス端末から第１の距離または距離範囲内に位置するモバイルデバイスにより受信されると、第１の反応を引き起こすことを示す、この発明に一般に従う通信システムを図示する。
【図２Ｂ】図２Ａの通信システムを図示するが、サービス端末の第２のトランスミッタ機能が第２の短距離無線通信信号を送信して、第１の距離または距離範囲よりもサービス端末に近い、サービス端末からの第２の距離または距離範囲に位置するモバイルデバイスにより受信されると、第２の反応を引き起こすことを示す。第２の反応は、サービス端末に関連づけられたサービスにおける参加を含み、第１の反応は、このサービスのための準備を含むことができる。
【図２Ｃ】第１および／または第２の反応の期間にモバイル端末と通信することができ、および／またはサービスの実行中にサービス端末と通信することができるシステムサーバを含む、図２Ａおよび図２Ｂの通信システムの一実施形態を図示する。
【図２Ｄ】サービスが実行されるまたは完了されるのに必要な肯定的アクションとしてモバイルデバイスおよびサービス端末との間のデジタルハンドシェークを含む使用事例のために設計された、図２Ｃの通信システムの一実施形態を図示する。
【図２Ｅ】複数のさらなるサービス端末間で、サービス端末の選択的通知を含む使用事例のために設計された、図２Ｃの通信システムの一実施形態を図示する。
【図２Ｆ】モバイルデバイスのユーザのためにカスタマイズされた促進情報をサービス端末に提供することを含む使用事例のために設計された、図２Ｃの通信システムの一実施形態を図示する。
【図２Ｇ】モバイルデバイスのユーザに関連づけられたユーザプロファイル情報を決定し、それをサービス端末上で、そのオペレータおよび／またはモバイルデバイスのユーザに提示することを含む使用事例のために設計された、図２Ｃの通信システムの一実施形態を図示する。
【図３】一般的に、この開示に従う、サービス端末に関連づけられたサービスの使用を可能にするためにモバイルデバイスをアクティブにする方法のフロー図である。
【図４】このドキュメントに記載したモバイルデバイスをインプリメントすることができるモバイルコンピューティングデバイスを図示する。
【図５】本明細書において記載したサービス端末をインプリメントすることができるコンピューティングデバイスを図示する。
【発明を実施するための形態】
【００３３】
開示された実施形態は、この発明のある実施形態が図示される、添付図面を参照してここにより完全に記載されるであろう。しかしながら、この発明は、多くの異なる形態で具現化することができ、ここに記載した実施形態のみに限定されると理解すべきではない。むしろ、これらの実施形態は、この開示が完全であり、この発明の範囲を当業者に完全に伝えるように例示として提供される。全体を通して、類似の番号は類似のエレメントを指す。
【００３４】
一般にこの発明に従う通信システム１００を図示する図２Ａおよび２Ｂを最初に参照する。通信システム１００は、モバイルデバイスＭＤまたはユーザＵにサービス２を提供することができるサービス端末ＳＴを備える。サービス端末は、自律デバイスとして、あるいは人間のオペレータＯの制御の下で、あるいは補助により動作することができる。サービス２のためのサービスの例は、このセクションの後半で説明される。
【００３５】
通信システム１００は、またサービス端末ＳＴ内にある、またはサービス端末ＳＴで動作する第１のトランスミッタ機能ＴＸ１を備える。第１のトランスミッタ機能ＴＸ１は、サービス端末ＳＴから第１の距離Ｄ１、または距離範囲ＤＲ１内に位置するモバイルデバイスＭＤにより受信されると、第１の反応Ｒ１を引き起こすように第１の短距離無線通信信号Ｓ１を送信するように構成される。
【００３６】
さらに、通信システム１００は、サービス端末ＳＴ内にある、またはサービス端末ＳＴで動作する第２のトランスミッタ機能ＴＸ２を備える。第２のトランスミッタ機能ＴＸ２は、サービス端末ＳＴから第２の距離Ｄ２内に、または距離範囲ＤＲ２に位置するモバイルデバイスＭＤにより受信されると、第２の反応Ｒ２を引き起こすように第２の短距離無線通信信号Ｓ２を送信するように構成される。第２の距離Ｄ２または距離範囲ＤＲ２は、第１の距離Ｄ１または距離範囲ＤＲ１よりもサービス端末ＳＴに近い。例えば、実際のインプリメンテーションの必要性と制約に依存して、第１の距離範囲ＤＲ１は、制限なしに、１−５０ｍであり、より望ましくは、２−１０ｍであり、第１の距離Ｄ１は、第１の距離範囲ＤＲ１内の距離であり得る。同様に、第２の距離範囲ＤＲ２は、制限なしで、５−５０ｃｍであり、より望ましくは、１０−３０ｃｍであり、第２の距離Ｄ２は、第２の距離範囲ＤＲ２内の距離であり得る。
【００３７】
図２Ａに図示するように、ユーザＵがモバイルデバイスＭＤを移動すると（１ａ）、サービス端末ＳＴに近づく。モバイルデバイスＭＤは、サービス端末ＳＴから第１の距離Ｄ１／距離範囲ＤＲ１内に位置するとき、第１のトランスミッタ機能ＴＸ１から第１の短距離無線通信信号Ｓ１を受信するように構成される。モバイルデバイスＭＤはさらに、第１のアクティビティＡ１を実行することにより第１の短距離無線通信信号Ｓ１の受信に反応する（Ｒ１）ように構成される。
【００３８】
図２Ｂに図示するように、ユーザＵがモバイルデバイスＭＤを移動すると（１ｂ）、サービス端末ＳＴに接近する。モバイルデバイスＭＤは、第２の短距離無線通信信号Ｓ２を受信するように構成され、前記サービス端末ＳＴから前記第２の距離Ｄ２内にまたは距離範囲ＤＲ２に位置するとき第２のアクティビティＡ２を実行することにより第２の短距離無線通信信号Ｓ２を受信することに応答するＲ２ように構成される。
【００３９】
有利には、これは、第１のアクティビティＡ１を実行したことを条件として行われ得る。有利には、第１のアクティビティＡ１は、第２のアクティビティＡ２に対する準備を含み、同様に第２のアクティビティＡ２は、サービス端末ＳＴに関連づけられたサービス２の準備を含む。対応する機能性は、図３のフローチャート図のステップ３００−３５７に開示される。
【００４０】
いくつかの実施形態において、第１の短距離無線通信信号Ｓ１と第２の短距離無線通信信号Ｓ２の少なくとも１つは、ブルートゥース低エネルギ信号である、いくつかの実施形態において、第１の短距離無線通信信号Ｓ１と第２の短距離無線通信信号Ｓ２の少なくとも１つは、本願明細書の背景技術で言及したビーコンアドバタイズメント信号である。
【００４１】
特に、そのような実施形態において、第１のアクティビティＡ１は、モバイルデバイスＭＤが短距離無線通信信号のモニタリングを実行する第１のモードから、モバイルデバイスＭＤが短距離無線通信信号のレンジングを実行する第２のモードへの切替を備えることができる。モニタリングとレンジングの簡単な説明に関しては、本願明細書の背景技術を参照されたい。
【００４２】
レンジングを実行する第２のモードにあるとき、モバイルデバイスＭＤは、受信した第２の短距離無線通信信号Ｓ２から、モバイルデバイスＭＤが、サービス端末ＳＴから第２の距離Ｄ２または距離範囲ＤＲ２内に位置すると判断するように構成することができる。（より短い距離を有する）第２の短距離無線通信信号Ｓ２に対する受信と反応の準備としてモバイルデバイスＭＤをレンジングモードに入らせるように、（より長い距離を有する）第１の短距離無線通信信号Ｓ１を用いることにより、従来技術に比べて、反応速度の改良が得られる。
【００４３】
いくつかの実施形態において、システムサーバＳＳは、通信システム１００に備えられている。これは、図２Ｃに図示される。システムサーバＳＳは、関連するデータベース、または必要に応じてアクセスすることができる他のストレージＳＳＤＢを有することができる。第１のアクティビティＡ１は、ブロードバンド通信ネットワーク１１０を介した、モバイルデバイスＭＤとシステムサーバＳＳとの間のブロードバンドデータ通信システム１１１ａを含むことができる。同様に、第２のアクティビティＡ２とサービス２は、ブロードバンド通信ネットワーク１１０を介してシステムサーバＳＳとのブロードバンドデータ通信１１１ｂ、１１２を含むことができる。
【００４４】
システムサーバＳＳは、例えば、サーバコンピュータ、そのようなコンピュータデバイスのクラスタ、またはクラウドコンピューティングリソースまたはサービスであり得る。それは、例えば、１つまたは複数のＣＰＵｓおよび／またはＤＳＰｓの形態の処理ユニットを有し、コンピュータプログラムのプログラム命令を実行する処理ユニットによりこの明細書に記載した機能性を実行するようにプログラムされる。ストレージＳＳＤＢは、例えば、サーバコンピューティングデバイス内に含まれる、あるいはサーバコンピューティングデバイス外のデータベースであり得る。ブロードバンド通信ネットワーク１１０は、例えば、ＷＣＤＭＡ（登録商標）、ＨＳＰＡ、ＧＳＭ、ＵＭＴＳ、ＬＴＥまたはＬＴＥに準拠するモバイル通信ネットワークであり得、ブロードバンドデータ通信１１１ａ、１１１ｂ、１１２は、例えば、暗号化されているか、あるいはセキュリティで保護されているＴＣＰ／ＩＰトラヒックであり得る。
【００４５】
いくつかの実施形態において、サービス２は、サービス端末で、モバイルデバイスＭＤのユーザＵにより行われた購入に対するデジタル支払いを含む。この目的のために、サービス端末ＳＴは、例えば、ポイントオブセールス端末、チェックアウトカウンタ、デリバリピックアップポイント、ベンディングマシンまたはチケットマシンであり得る。
【００４６】
いくつかの実施形態において、第２のアクティビティＡ２は、サービス端末ＳＴに関連づけられたサービス２の一部としてサービス端末ＳＴとのデジタルハンドシェークを行うことを備える。本願明細書の背景技術で説明したように、デジタルハンドシェークは、（例えば、購入のためのデジタル支払いのような）サービス２を実行させるまたは完了させるために必要な肯定的アクション（affirmative action）であり得る。デジタルハンドシェークは、ユーザがモバイルデバイスＭＤをサービス端末ＳＴに非常に近づける（例えば、１０−３０ｃｍまたは５−５０ｃｍ以内に）ことにより、物理的に、およびモバイルデバイスＭＤとサービス端末ＳＴの一方または両方により、他のデバイス／端末のそれぞれの識別を論理的に検証することにより行うことができる。
【００４７】
有利には、デジタルハンドシェークは、図２Ｄに図示する以下の手続を含む。
・モバイルデバイスＭＤは、受信した第２の短距離無線通信信号Ｓ２から、第２のトランスミッタ機能ＴＸ２またはサービス端末ＳＴに関連づけられた識別情報ＴＸ２＿ＩＤを検出する。
・モバイルデバイスＭＤは、検出された識別情報ＴＸ”＿ＩＤを長距離バンドブロードバンドデータ通信１１１ｂによりシステムサーバＳＳに報告する。モバイルデバイスＭＤは、また、自身についての識別情報ＭＤ＿ＩＤを報告することができる。
・これに応答してシステムサーバＳＳは、サービス２の実行を生じさせる。これは、報告された識別情報ＴＸ２＿ＩＤおよび／またはモバイルデバイスＭＤに関する任意の報告された識別情報ＭＤ＿ＩＤを、ストレージＳＳＤＢ内のコンテンツと検証すること、あるいは、外部ネットワークリソースを使用して検証要求を送信し、次に検証が成功したら、肯定情報をサービス端末ＳＴに通信して（１１２）、それが、サービス２（例えば、デジタル支払いを実行するような）を開始、続行、または完了を可能とすることを含むことができる。
【００４８】
図２Ｅは、通信システム１００内の複数のさらなるサービス端末ＳＴ２、ＳＴ３、．．．ＳＴｎの中でサービス端末ＳＴの選択的通知を含む使用事例のために設計された、図２Ｃの通信システム１００の一実施形態を図示する。第１のアクティビティＡ１は、以下の手続を含む：
・モバイルデバイスＭＤは、受信した第１の短距離無線通信信号Ｓ１から、第１のトランスミッタ機能ＴＸ１、またはサービス端末ＳＴに関連した識別情報ＴＸ１＿ＩＤを検出する。モバイルデバイスＭＤは、検出した識別情報ＴＸ１＿１Ｄを長距離ブロードバンドデータ通信１２０によりシステムサーバＳＳに報告する。システムサーバＳＳは、ストレージＳＳＤＢをアクセスすることができ、従って、報告された検出された識別情報ＴＸ１＿ＩＤにより表された第１のトランスミッタ機能ＴＸ１がサービス端末ＳＴに属し、他のサービス端末ＳＴ２、ＳＴ３、・・・、ＳＴｎのいずれにも属さない。結論として、ユーザＵおよびモバイルデバイスＭＤは、他のサービス端末ＳＴ２、ＳＴ３、…、ＳＴｎのいずれよりもサービス端末ＳＴに接近している。
・これに応答してシステムサーバＳＳは、長距離ブロードバンドデータ通信１２２により、サービス端末ＳＴに選択的に通知するが、さらなるサービス端末ＳＴ２、ＳＴ３、．．．ＳＴｎではない。これは、サービス端末ＳＴおよび／またはそのオペレータＯに、ユーザＵがサービス端末ＳＴに近づいており、すぐにサービス２を要求する可能性があるという価値ある事前通知を与えることができる。一例として、事前通知を使用して、１つまたは複数の購入品目を含む事前注文された購入のための事前梱包または他の形式の配達準備を開始することができる。
【００４９】
図２Ｆは、サービス端末ＳＴ上で、モバイルデバイスＭＤのユーザＵのためにカスタマイズされた販売促進情報を提供することを含む使用事例のために設計された、図２Ｃの通信システム１００の一実施形態を図示する。この実施形態において、第１のアクティビティＡ１は、以下の手続を含む：
・モバイルデバイスＭＤは、受信した第１の短距離無線通信信号Ｓ１から、第１のトランスミッタ機能ＴＸ１またはサーバ端末ＳＴに関連づけられた識別情報ＴＸ１＿ＩＤを検出する。
・モバイルデバイスＭＤは、第１のトランスミッタ機能ＴＸ１に関連づけられた検出された識別情報ＴＸ１並びに、モバイルデバイスＭＤに関連づけられた識別情報ＭＤ＿ＩＤを、長距離ブロードバンドデータ通信１３０によりシステムサーバＳＳに報告する。
・システムサーバＳＳはこれに応答して、
・モバイルデバイスＭＤに関連づけられた識別情報ＭＤ＿ＩＤからモバイルデバイスＭＤのユーザＵの識別を判断する。
・ユーザＵのためにカスタマイズされた販売促進情報を決定する。システムサーバＳＳは、ストレージＳＳＤＢをアクセスすることができ、報告された識別情報ＭＤ＿ＩＤに基づいてユーザＵにカスタマイズされた販売促進情報を編集する。
・決定されたカスタマイズされた販売促進情報を、長距離ブロードバンドデータ通信１３２によりサービス端末ＳＴに通信する。
・サービス端末ＳＴは、通信されたカスタマイズされた販売促進情報を表示デバイス１７５（図５参照）によりモバイルデバイスＭＤのユーザＵに提示する。この目的のために、サービス端末ＳＴは、例えば、ポイントオブセールス端末またはデジタル看板、またはそれらの組み合わせであり得る。
【００５０】
図２Ｇは、モバイルデバイスＭＤのユーザＵに関連づけられたユーザプロファイル情報を決定し、それをサービス端末ＳＴ上でオペレータＵおよび／またはユーザＵに提示することを含む使用事例のために設計された、図２Ｃの通信システム１００の一実施形態を図示する。この実施形態において、第１のアクティビティＡ１は、以下の手続を含む。
・モバイルデバイスＭＤは、受信した第１の短距離無線通信信号Ｓ１から、第１のトランスミッタ機能ＴＸ１、またはサービス端末ＳＴに関連づけられた識別情報ＴＸ１＿ＩＤを検出する。
・モバイルデバイスＭＤは、第１のトランスミッタ機能ＴＸ１に関連づけられた検出された識別情報ＴＸ１＿ＩＤ並びにモバイルデバイスＭＤに関連づけられた識別情報ＭＤ＿ＩＤを長距離ブロードバンドデータ通信１４０によりシステムサーバＳＳに報告する。
・システムサーバはこれに応答して、
・モバイルデバイスＭＤに関連づけられた識別情報ＭＤ＿ＩＤからモバイルデバイスＭＤのユーザＵの識別を判断する。
・ユーザＵに関連づけられたユーザプロファイル情報を判断する。システムサーバＳＳは、ストレージＳＳＤＢをアクセスして、報告された識別情報ＭＤ＿ＩＤからユーザＵを識別することができ、次にユーザＵに関するユーザプロファイル情報を検索することができる。
・決定されたユーザプロファイル情報を長距離ブロードバンドデータ通信１４２によりサービス端末STに通信する。
・サービス端末ＳＴは、通信したユーザプロファイル情報を表示デバイス１７５により、サービス端末ＳＴのオペレータＯおよび／またはモバイルデバイスＭＤのユーザＵに提示する。ユーザプロファイル情報は、例えば、メンバーシップまたはアカウント情報、ユーザUの写真、ユーザＵの名前情報等を備えることができる。
【００５１】
他の使用例は、物理アクセス制御を含む。そのような場合、サービス端末ＳＴは、保護されたエリア、または施設へのアクセスを制御するためのデバイスであり得るか、またはそのデバイスを備えることができる。それゆえ、サービス２は、ユーザＵのアクセスを保護されたエリア、または施設へ与えるサービスであり得る。例えば、サービス端末ＳＴは、ドアまたは同様のものに取り付けられ、モバイルデバイスＭＤとの通信が成功したときに、ドアまたは同様のものの、機械的または電気的ロックを作動させるための、電気モータまたは他のアクチュエータを備えた無線ロックアクチュエータデバイスであり得る。ユーザＵは、モバイルデバイスＭＤを電子キーデバイスとして使用して、無線ロックアクチュエータデバイスの形態のサービス端末ＳＴに、機械的または電気的ロックを作動させることにより、保護されたエリアまたは施設へのアクセスを得ることができる。この目的のために、第２のアクティビティＡ２は、あるアクセス制御検証データを、サービス端末ＳＴに通信するモバイルデバイスＭＤを含み、サービス端末ＳＴは、アクセス制御検証データを用いて、モバイルデバイスＭＤ／ユーザＵが保護されたエリアまたは施設へのアクセスを許可されるための認証情報を有することを検証することができる。アクセス制御検証データの検証が成功すると、サービス端末ＳＴは、機械的または電気的ロックを作動させて、ドアまたは同様のものを解錠することができる。いくつかの実施形態において、ロックが解錠状態にあるとき、モバイルデバイスＭＤ／ユーザＵは、同様にサービス端末ＳＴを制御して機械的または電気的ロックを作動して、ドアまたは同様のものをロックすることができる。モバイルデバイスＭＤ／ユーザＵにより提供されるアクセス制御検証データは、例えば、デジタルトークン、署名、パスワード、パスコードまたは生体認証データ（フィンガプリント、顔、虹彩、網膜、声、等）またはそれらの任意の組み合わせを含む。
【００５２】
図４は、モバイルデバイスＭＤをインプリメントすることができるモバイルコンピューティングデバイス１５０を図示する。モバイルコンピューティングデバイス１５０は、モバイルコンピューティングデバイス１５０（例えば、ＭＤ）に関連づけられた（上述したＭＤ＿ＩＤのような）識別を記憶するメモリ１５２を備える。モバイルコンピューティングデバイス１５０はまた、コントローラ１５４、短距離無線通信インタフェース１５６、および長距離ブロードバンド通信インタフェース１５８を備える。コントローラ１５４は、本明細書に記載する通信システム１００においてモバイルデバイスＭＤのために定義された機能性を実行するように構成することができる。
【００５３】
モバイルコンピューティングデバイス１５０は、例えば、モバイルフォン、タブレットコンピュータ、パーソナルデジタルアシスタント、スマートグラス、スマートウオッチ、スマートブレスレット、または無線ロックアクチュエーティングデバイスであり得る。コントローラ１５４は、例えば、コンピュータプログラムのプログラム命令を実行する処理ユニットにより本明細書に記載した機能性を実行するようにプログラムされた１つまたは複数のマイクロコントローラ、ＣＰＵｓおよび／またはＤＳＰｓの形態の処理ユニットであり得る。この目的のために、モバイルコンピューティングデバイス１５０は、メモリ１５２に記憶された、アプリケーションまたは類似のプログラムのためのコンピュータプログラムコードを有することができ、モバイルデバイスＭＤの機能性を実行するようにコントローラ１５４により実行可能である。あるいは、コントローラ１５４は、ＦＰＧＡ、ＡＳＩＣ等としてインプリメントすることができる。図４に示されていない場合でも、モバイルコンピューティングデバイス１５０は、図５のコンピューティングデバイス１７０の表示デバイス１７５および入力デバイス１７７を有するユーザインタフェース１７３と非常によく似た、表示デバイスおよび入力デバイスを含むユーザインタフェースを備えることができる。
【００５４】
サービス端末ＳＴの第１および／または第２のトランスミッタ機能ＴＸ１、ＴＸ２のための識別情報ＴＸ１＿ＩＤおよび／またはＴＸ２＿ＩＤのコピーは、モバイルコンピューティングデバイス１５０のメモリ１５２に記憶して、第１および／または第２の信号Ｓ１、Ｓ２の検出（例えば、モニタリング、レンジング）を容易にすることができる。
【００５５】
図５は、サービス端末ＳＴをインプリメントすることができるコンピューティングデバイス１７０を図示する。コンピューティングデバイス１７０は、メモリ１７２、コントローラ１７４、短距離無線通信（例えば、サービス端末ＳＴの第１のトランスミッタ機能ＴＸ１をインプリメントすること）のための第１のトランスミッタ機能１７６ａ、および短距離無線通信（例えば、サービス端末ＳＴの第２のトランスミッタ機能ＴＸ２をインプリメントすること）のための第２のトランスミッタ機能１７６ｂを備えることができる。
【００５６】
コンピューティングデバイス１７０は、例えば、タブレットコンピュータ、ラップトップコンピュータ、モバイルフォン、デスクトップコンピュータ、パーソナルデジタルアシスタント、スマートグラス、スマートウオッチ、スマートブレスレット、サービス端末装置、マシンまたは乗り物でありえる。コントローラ１７４は、例えば、コンピュータプログラムのプログラム命令を実行する処理ユニットにより、本明細書に記載した機能性を実行するようにプログラムされた、１つまたは複数のＣＰＵｓおよび／またはＤＳＰｓの形態の処理ユニットであり得る。この目的のために、コンピューティングデバイス１７０は、メモリ１７２に記憶されたコンピュータプログラムコードを有し、コントローラ１７４により実行可能であり、本明細書に定義したサービス端末ＳＴのための機能性を実行する処理ことができる。あるいは、コントローラ１７４は、ＦＰＧＡ、ＡＳＩＣ等としてインプリメントすることができる。
【００５７】
いくつかの実施形態において、サービス端末ＳＴ内にある、またはサービス端末ＳＴで動作する第１および第２のトランスミット機能ＴＸ１、ＴＸ２は、それぞれの定義された周期性で第１および第２の短距離無線通信信号Ｓ１、Ｓ２を送信するように構成される。これらの周期性は、同じであるかまたは異なっていてもよい。
【００５８】
いくつかの実施形態において、サービス端末ＳＴ内にある、またはサービス端末ＳＴで動作する第１および第２のトランスミッタ機能ＴＸ１、ＴＸ２は、それぞれの送信電力レベルで第１および第２の短距離無線通信信号Ｓ１、Ｓ２を送信するように構成され、第１の短距離無線通信信号Ｓ１の送信電力レベルは、第２の短距離無線通信信号Ｓ２の送信電力レベルよりも高い。このように、第１の距離Ｄ１／距離範囲ＤＲ１は、第２の距離Ｄ２／距離範囲ＤＲ２よりも遠くに作られる。
【００５９】
いくつかの実施形態において、サービス端末ＳＴ内にある、またはサービス端末ＳＴで動作する第１および第２のトランスミッタ機能ＴＸ１、ＴＸ２は、それぞれの異なる無線信号伝搬プロファイルで第１および第２の短距離無線通信信号Ｓ１、Ｓ２を送信するように構成される。例えば、無線信号伝搬プロファイルの１つは、多かれ少なかれ無指向性であり得、一方、他の無線信号伝搬プロファイルは、より狭い指向カバレッジを有することができる。これは、意図したモバイルデバイスＭＤ以外の他の信号受信機を動作させる危険性を低減することができるので、有利であり得る。
【００６０】
いくつかの実施形態において、第１及び第２のトランスミッタ機能ＴＸ１、ＴＸ２の一方または両方は、サービス端末ＳＴ外部に位置するが物理的には、近くに位置する別個のトランスミッタデバイス（複数の場合もある）であろう。物理的に、近くは、天井レベルまたは床レベルに取り付けられているトランスミッタデバイス（複数の場合もある）を含むことができる。
【００６１】
いくつかの実施形態において、第１および第２のトランスミッタ機能ＴＸ１、ＴＸ２の一方または両方は、サービス端末ＳＴ内に備えられた短距離無線通信回路によりインプリメントされる。いくつかの実施形態において、第１および第２のトランスミッタ機能ＴＸ１、ＴＸ２の両方は、サービス端末ＳＴ外部の物理的に近くに位置する共通の独立したトランスミッタデバイスによりインプリメントされる。いくつかの実施形態において、第１および第２のトランスミッタ機能ＴＸ１、ＴＸ２の両方は、サービス端末ＳＴ内に備えられた共通の短距離無線通信回路によりインプリメントされる。
【００６２】
それゆえ、そのような実施形態において、２つの論理トランスミッタ機能ＴＸ１、ＴＸ２は、１つの物理トランスミッタユニットによりインプリメントすることができる。第１および第２のトランスミッタ機能ＴＸ１、ＴＸ２の１つまたは両方は、トランシーバ機能の一部であり得、すなわち、それらは、また受信機能を持つことができる。ＢＬＥは、現在第１および第２のトランスミッタ機能ＴＸ１、ＴＸ２のための有利な短距離無線通信技術と見做されているけれども、これに限定されないが、近距離通信（ＮＦＣ）、無線周波数識別（ＲＦＩＤ）、無線ＬＡＮ（ＷＬＡＮ、Ｗｉ−Ｆｉ）、またはＬＴＥダイレクトのような近接性ベースのデバイス間無線通信信号の他の形態を含む他の技術も考えられる。
【００６３】
この発明を、主に、いくつかの実施形態を参照して記載した。しかしながら、当業者には容易に理解できるように、上述した実施形態以外の他の実施形態も、添付された特許請求の範囲により定義されるこの発明の範囲内で等価に可能である。
【図１Ａ】
2021505090.tif 000003
【図１Ｂ】
2021505090.tif 000004
【図１Ｃ】
2021505090.tif 000005
【図２Ａ】
2021505090.tif 000006
【図２Ｂ】
2021505090.tif 000007
【図２Ｃ】
2021505090.tif 000008
【図２Ｄ】
2021505090.tif 000009
【図２Ｅ】
2021505090.tif 000010
【図２Ｆ】
2021505090.tif 000011
【図２Ｇ】
2021505090.tif 000012
【図３】
2021505090.tif 000013
【図４】
2021505090.tif 000014
【図５】
2021505090.tif 000015
【国際調査報告】
2021505090.tif 000016
2021505090.tif 000017
2021505090.tif 000018
2021505090.tif 000019